(57)【要約】【課題】巻き爪に拠る痛みや炎症を、巻いた爪自体ではなく、足親指のくびれ部の作用に着目し、体重が移動した際に足親指の先端部の荷重が加わらず、足親指の裏面全体で荷重を受け止められるようにする。【解決手段】足親指の付け根に生ずるくびれ部３にあてがわれる高さ調整が可能なパッド部Ａと、該パッド部Ａがその一部に装着されており、前記くびれ部３にあてがわれた前記パッド部Ａの位置を保持するための保持具であるテープＢとから成り、身体の前方向への移動でも足親指の裏面全体で体重を受け止める。【選択図】図１
2017064204.tif 000002
【特許請求の範囲】
【請求項１】
足親指の付け根に生ずるくびれ部にあてがわれる高さ調整が可能なパッド部と、該パッド部がその一部に装着されており、前記くびれ部にあてがわれた前記パッド部の位置を保持するための保持具とからなることを特徴とする巻き爪予防具。
【請求項２】
前記保持具は裏面の両端に接着部が設けられているテープであり、前記パッド部は前記テープの裏面中央部に接着により装着されていることを特徴とする請求項１記載の巻き爪予防具。
【請求項３】
前記保持具は内面の開口部近傍にポケットが設けられているキャップであり、前記パッド部は前記ポケットへの収納により装着されていることを特徴とする請求項１記載の巻き爪予防具。
【発明の詳細な説明】
【技術分野】
【０００１】
本発明は、巻き爪を防ぎ、また、巻き爪による痛みや症状の悪化を防ぐための巻き爪予防具に関するものである。
【背景技術】
【０００２】
巻き爪の対処法として、巻いた爪の部分を切除する外科的な手術に拠る治療法や、巻いた爪にフックやワイヤ等からなる矯正具を装着する方法がある。しかしながら、外科的な手術に拠る治療法では術後の活動が著しく制限されるほか、再び巻いた状態で爪が再生されるため、繰り返し手術を行わねばならないという問題があり、また、フックやワイヤ等からなる矯正具を装着する方法では矯正具自体の高さや幅が影響し、圧迫感から靴を履いて通常どおり歩行することが難しく、それを無理に行うと却って痛みが増すうえ、症状を悪化させてしまうといった問題点があった。
【０００３】
そこで昨今では、巻き爪とこれが接触する皮膚との間にパッドをあてがうようにした特許文献１に記載の巻き爪パッドや、同じ部位に伸縮性のあるガーゼをあてがうようにした特許文献２に記載の巻き爪用絆創膏などが開発されているが、足先の蒸れによって湿度が加わることでパッドやガーゼの復元力が減じ、暫くすると痛みが戻ってしまうという懸念があった。
【０００４】
また、巻き爪の視点を巻いた爪自体から外し、歩行の際やバランスを取る際の体重移動に着目し、強い弾力性を備えたテープ１の一端を足の先端部Ｙ１に貼り付け、第一関節が軽く屈曲した状態でテープ１の他端を母趾の先底部Ｘ１に貼り付けることで、歩行やバランスを取る際に指が反り上がらないようにして巻き爪を防止するようにした特許文献３に記載の巻き爪矯正テープがある。
【０００５】
この先行技術は、巻き爪の視点を歩行やバランスを取る際の体重移動に着眼した点で評価できるが、如何に弾力性の強いテープを用いても長時間の使用により復元力が低下し、母趾をそり上げる効果が減じてしまうといった問題点があった。また、テープの貼り付け位置が足の先端と母趾の先端の共に底部という最も体重が掛かる部分であるため、使用によりテープが捲れてしまう虞があるほか、足先の蒸れによってテープの接着能力が減じ、テープが外れてしまう虞もあった。
【先行技術文献】
【特許文献】
【０００６】
【特許文献１】特開２０１２−１２５５２７号公報
【特許文献２】特開２０１３−８１７２３号公報
【特許文献３】特開２００５−７３９７７号公報
【発明の概要】
【発明が解決しようとする課題】
【０００７】
本発明は、巻き爪の視点を歩行やバランスを取る際の体重移動に置き、更に、巻き爪を防止する方法として、足親指の先端部ではなく、その付け根に位置するくびれ部に着目し、足親指の裏面全体で荷重を受けるようにして足親指の先端部にだけ荷重が掛からないようにすることで、巻いた爪と皮膚との接触を軽減することができるようにし、しかも、誰もが手軽に巻き爪を手当てし予防することができる巻き爪予防具を提供することを課題とする。
【課題を解決するための手段】
【０００８】
本発明は、如上の課題を解決するため、足親指の付け根に生ずるくびれ部にあてがわれる高さ調整が可能なパッド部と、該パッド部がその一部に装着されており、前記くびれ部にあてがわれた前記パッド部の位置を保持するための保持具とからなる巻き爪予防具の構成を採用する（請求項１）。
【０００９】
また本発明は、請求項１に記載の発明であって、前記保持具は裏面の両端に接着部が設けられているテープであり、前記パッド部は前記テープの裏面中央部に接着により装着されている巻き爪予防具の構成を採用する（請求項２）。
【００１０】
更に本発明では、請求項１に記載の発明であって、前記保持具は内面の開口部近傍にポケットが設けられているキャップであり、前記パッド部は前記ポケットへの収納により装着されている巻き爪予防具の構成を採用する（請求項３）。
【発明の効果】
【００１１】
巻いた爪の部分を切除する外科的な手術に拠る治療法や、巻いた爪にフックやワイヤ等からなる矯正具を装着する方法では、施術直後から通常の歩行を行うことは到底困難であるが、本発明の巻き爪予防具では、これを取り付けるだけでその直後から通常の歩行が可能となり、しかも、パッド部の高さ調整が可能なため子供から大人の足まで巻き爪の予防や改善に資することができるという利点がある。また、上で述べた手術や矯正具の装着は病院や専門の施設に出向いて行わねばならず、その都に時間やコストが掛かるが、本発明の巻き爪予防具は誰でも自身で手軽に手当てできるため、時間やコストが大幅に節約できる。加えて、ポケットを設けたタイプの本発明の巻き爪予防具ではパッド部の脱着が可能であり、汚れたら取り出して洗濯することで、同じパッド部を繰り返し使用できるため、より経済的という利点もある。
【図面の簡単な説明】
【００１２】
【図１】図１は巻き爪予防具の実施例を示す説明図である。（実施例１）
【図２】図２は図１の実施例の使用状態を示す足の側面図である。
【図３】図３は巻き爪予防具の別の実施例を示す説明図である。（実施例２）
【図４】図４は図３の実施例の使用状態を示す足の側面図である。
【図５】図５は前方向に体重が移動した状態を示す足の斜視図である。
【図６】図６は足親指の付け根に生ずるくびれ部を示す足の側面図である。
【発明を実施するための形態】
【００１３】
巻き爪は殆どが足親指で発症するため、以下の実施例では専ら足親指への利用に特化して説明しているが、足親指以外で起きた巻き爪にも利用できることは勿論である。
【００１４】
図１は本発明に係る巻き爪予防具の一実施例を示す説明図、図２は図1の実施例の使用状態を示す足の側面図、図３は本発明に係る巻き爪予防具の別の実施例を示す説明図、図４は図３の実施例の使用状態を示す足の側面図、図５は前方向に体重が移動した状態を示す足の斜視図、図６は足親指の付け根に生ずるくびれ部を示す足の側面図であり、１は巻き爪予防具、２は足親指の先端部、３はくびれ部、４は足裏全体、Ａはパッド部、ａ１はパッド部の一部、Ｂはテープ、ｂ１及びｂ２はテープ両端の接着部、Ｃはパッド部、Ｄはキャップ、ｄはキャップに設けられたポケットである。
【００１５】
人間は真っ直ぐに立っている場合は足裏全体で体重を支えているが、図５の（１）に示すとおり、僅かでも前方向に体重が移動すると、足指とりわけ足親指で身体のバランスを保とうとする現象が生じ、とりわけ足親指の先端部２に強い負荷が掛かることになる。その結果、巻いた爪と皮膚との接触により強い圧力が加わるため、痛みが一層強くなり、炎症が生じている場合は更にそれを悪化させてしまうことになる。
【００１６】
また、女性の場合は踵の高いハイヒールを履くことが多いが、その場合は図５の（２）に示すとおり、常に足親指の先端部２に強い荷重が掛かるようになるため、巻いた爪と皮膚との接触は更に強い圧力が加わり続けることになる。しかも、ハイヒールは概ね先端部が細い形状となっており、ハイヒールの内壁が巻き爪を強く押圧するため、より強い痛みが加わり易く、炎症も悪化し易くなる。
【００１７】
人間の足を側面から見ると通常、図６に示すとおり、足親指の付け根にくびれ部３が生じているが、前方向に体重を移動することで図５に示すように、足親指の先端部２に強い負荷が掛かることになる。つまり、巻き爪に拠る痛みや炎症を予防し改善するためには、前方向に体重が移動した場合でも、足親指の先端部２にだけ強い荷重が加わらないようにすることが、極めて重要であることを示している。
【００１８】
そこで、出願人はこの点に着目し、体重を前方向に移動した場合でも足親指の先端部２だけに強い負荷が掛からず、足親指の裏面全体で荷重を受け止められるようにすることで巻き爪に拠る痛みや炎症を予防し改善できると考え、この技術思想のもと開発したのが、以下の実施例に係る巻き爪予防具である。
【実施例１】
【００１９】
本発明に係る巻き爪予防具の一実施例は、図１に示すとおり、足親指の付け根に生ずるくびれ部３にあてがわれる高さ調整が可能なパッド部Ａと、該パッド部Ａがその一部に装着されており、前記くびれ部３にあてがわれた前記パッド部Ａの位置を保持するための保持具とからなる巻き爪予防具であり、保持具としてテープＢを用い、該テープＢの裏面両端に接着部ｂ１及びｂ２を設け、その一部への前記パッド部Ａの装着は、前記テープＢの裏面中央部への前記パッド部Ａの一部ａ１の接着により行う構成とした。
【００２０】
パッド部Ａは図示したように、長尺のパッドから成るが、これを図６に示されるくびれ部３にあてがった際に、足親指の裏面全体と足裏全体４とが面一状となるよう、これを折り畳みや折り曲げるなどして高さを調整する。つまり、パッド部Ａを折り畳み又は折り曲げるなどして高さ調整し、足親指の裏面と足裏全体４とが面一状となるよう、くびれ部３の空間を埋めるのである。
【００２１】
かくして、足親指の裏面全体と足裏全体４が面一状となるようパッド部Ａが高さ調整されたら、この高さ調整されたパッド部Ａをくびれ部３にあてがい、テープＢの遊離部を足親指に巻き付け、その両端に設けられた接着部でそれぞれ接着し固定する。このようにして固定された実施例１の巻き爪予防具は、図２に示すように、高さ調整されたパッドＡがくびれ部３にあてがわれ、くびれ部３の空間が埋められたことで、足親指の裏面全体と足裏全体４とが面一状となっている。
【００２２】
そのため、歩行等により身体を前方向に体重移動した際に、足親指の先端部２にだけ荷重が加わることなく、足親指の裏面全体で荷重を受け止めることができるため、巻いた爪と皮膚とが強い圧力で接触する事態を回避でき、巻き爪に拠る痛みや炎症を予防し改善することができる。
【実施例２】
【００２３】
本発明に係る巻き爪予防具の別の実施例は、図３に示すとおり、足親指の付け根に生ずるくびれ部３にあてがわれる高さ調整が可能なパッド部Ｃと、該パッド部Ｃがその一部に装着されており、前記くびれ部３にあてがわれた前記パッド部Ｃの位置を保持するための保持具とからなる巻き爪予防具であり、保持具としてキャップＤを用い、該キャップＤ内面の開口部近傍にはポケットｄが設けられており、その一部への前記パッド部Ｃの装着は、前記ポケットｄへの前記パッド部Ｃの収納により行う構成とした。
【００２４】
パッド部Ｃは実施例１で用いたと同様、折り畳みや折り曲げるなどして高さ調整が可能な長尺のパッドの採用を予定しているが、その装着がキャップＤの内面の開口部近傍に設けられたポケットｄへの収納に拠るため、予め高さの異なるパッドを数種類用意して使い分けることで高さ調整しても良い。つまり、実施例１と同様に長尺のパッドの場合は、これを折り畳みや折り曲げにより、足親指の裏面と足裏全体４とが面一状となるよう高さを調整し、若しくは、数種類用意された高さの異なるパッドの中から自分の足親指のくびれ部３に適した高さのパッドを用い、それをポケットｄに収納することで、くびれ部３の空間を埋めることになる。
【００２５】
かくして、足親指の裏面全体と足裏全体４が面一状となるようパッド部Ｃの高さが調整され、若しくは、高さが適したパッドが選択されたら、それをポケットｄに収納し、そのポケットｄが足親指のくびれ部３にあてがわれる位置でキャップＤを足親指に嵌め込んで固定することになる。キャップＤは足親指への固定が確実に行えるよう、伸縮性を有する素材であることが望ましい。このようにして固定された実施例２の巻き爪予防具は、図４に示すとおり、ポケットｄに収納されている高さ調整されたパッド部Ｃがくびれ部３にあてがわれたことで、足親指の裏面全体と足裏全体４とが面一状となっている。
【００２６】
そのため、この実施例に拠っても、歩行等により身体を前方向に体重移動した際でも、足親指の先端部２にだけ荷重が加わることなく、足親指の裏面全体で荷重を受け止めることができるため、巻いた爪と皮膚とが強い圧力で接触する事態を回避でき、巻き爪に拠る痛みや炎症を予防し改善することができるのである。
【００２７】
なお、パッド部Ａ及びパッド部Ｃについては、皮膚の保護の観点や伸縮性及び通気性の観点からコットンやアンダーラップなどの採用が望ましいが、同様の機能を有する素材であればこれらに限定されない。
【産業上の利用可能性】
【００２８】
本発明に係る巻き爪予防具は、足指とりわけ足親指に発症した巻き爪を予防し改善するものであるから、医療の分野で利用できることはもとよりであるが、患者自身による手当も可能であるため、常備可能な巻き爪予防具として日常的にも、またスポーツの分野でも利用することが可能である。
【符号の説明】
【００２９】
１    巻き爪予防具
２    足親指の先端部
３    足親指のくびれ部
４    足裏全体
Ａ    パッド部
Ｂ    テープ
Ｃ    パッド部
Ｄ    キャップ
ａ１  パッド部Ａの一部
ｂ１、ｂ２    テープＢの接着部
ｄ    ポケット
【図１】
2017064204.tif 000003
【図２】
2017064204.tif 000004
【図３】
2017064204.tif 000005
【図４】
2017064204.tif 000006
【図５】
2017064204.tif 000007
【図６】
2017064204.tif 000008